(57)【要約】【課題】  業務用競争ゲーム機等における自走体が走行する比較的低い天井と床面で構成され他走行空間を容易に清掃することができる清掃装置を提供する。【解決手段】清掃具を載置する受け体と、前記清掃具を前記受け体に固定する保持金具と、前記受け体の背面に取り付けた取付体と、該取付体の下部の両側に設けた車輪と、該取付体の車輪の回動方向に沿って柄を接合する接合部と、該接合部に対し着脱可能な連結部と、前記連結部により上下に可動可能な柄と、を有する清掃用装置としてある。【選択図】図１
2009273661.tif 000002
【特許請求の範囲】
【請求項１】
清掃具を載置する受け体と、前記清掃具を前記受け体に固定する保持金具と、、
前記受け体の背面に取り付けた取付体と、
該取付体の下部の両側に設けた車輪と、
該取付体の車輪の回動方向に沿って柄を接合する接合部と、
該接合部に対し着脱可能な連結部と、
前記連結部により上下に可動可能な柄と、を有することを特徴とする清掃用装置。
【請求項２】
前記受け体は有底に形成し、該受け体の有底には清掃具を配置し、該清掃具を受け体中央に付勢し保持する保持具とから、構成される請求項１記載の清掃用装置。
【請求項３】
上面に清掃具を配する受け体と、前清掃具を受け体に保持する保持具と、
を有する上部清掃具取付体と、
下面に清掃具を配する受け体と、前記清掃具を受け体に保持する保持具と、下側に設けた車輪と、
を有する下部清掃具取付体と、
前記上部清掃具取り付け体と、前記下部清掃具取付体とを連接する取付体と、
下部清掃具取付体の車輪の回動方向に沿って柄を接合する前記取付体に設けた接合部と、
該接合部に対し着脱可能な連結部と、
前記連結部により上下可動可能な柄と、
を有することを特徴とする清掃用装置。
【請求項４】
前記下部清掃具取付体に設けた車輪は、清掃具の下面より上側に車輪下縁が位置する高さに設けたことを特徴とする清掃用装置。
【請求項５】
上面に水平に清掃用ローラを回動自在に配するとともに、該ローラの両端に清掃具を配する上部受け体と、
下面に水平に清掃用ローラを回動自在に配するとともに、該ローラの両端に清掃具を配する下部受け体と、
前記上部受け体と上記下部受け体を連接する取付体と、
前記ローラの回動方向に沿って柄を接合する前記取付体に設けた接合部と、
該接合部に対し着脱可能な連結部と
前記連結部により上下可動可能な柄と、
を有することを特徴とする清掃用装置。
【請求項６】
上面に向けて円盤状の清掃具を回転可能に軸支して取り付けた上部受け体と、
下面に向けて円盤状の清掃具を回転可能に軸支して取り付けると共に下面側に車輪を設けた下部受け体と、
前記上部受け体と前記下部受け体をそれぞれ平行に連接すると共にそれぞれを互いに離反する方向に付勢する取付体と、
前記円盤体を回転駆動するモータと、
前記車輪の回動方向に沿って柄を接合する前記取付体に設けた接合部と、
該接合部に対し着脱可能な連結部と、
前記連結部により上下可動可能な柄と、
を有することを特徴とする清掃用装置。
【発明の詳細な説明】
【技術分野】
【０００１】
本発明は、業務用競争ゲーム装置等における自走体が走行する高さ１０ｃｍほどの天井と床面で構成された走行空間を清掃する手動式の清掃装置に関する。
【背景技術】
【０００２】
従来、業務用の競争ゲーム機においては、競争馬などの模型体が走行する走行フィールドを構成する模型体走行面の裏面に給電板を配置し、模型体走行面の下方に平行な空間を設けて自走車が走行する下方走行面を配している。そして、下方走行面と模型体走行面との空間に自走車を入れて、自走車は走行フィールドの裏側の給電板から電源を取りながら下方走行面上を走行する。これにより走行フィールド上の模型体が模型体走行面の下側を走行する駆動走行体上部に設けた磁石を介して模型体が自走車の動きに合わせて走行していた。
【０００３】
上記給電面に付着する塵芥等のゴミの自走車の走行面への落下を防ぐ自動車構造を提供するために、上部走行面に配置された模型走行体を磁力によって牽引する下部走行面に配置される自走車であって、模走行体を磁力で牽引するための磁石と上部走行面の裏側に設置された電極に摺接するために弾性部で付勢された給電端子と、電極に付着する塵埃を取り除くための上部ブラシと、電極と摺接回転する上部車輪と、磁石と、給電端子と、上部ブラシと、上部車輪とが設置され、所定の高さの対向する側壁と有する第１フレームと、を備える競争ゲーム装置の筐体に於ける自走車がある（特許文献１参照。）。
【０００４】
また、自走体が走行する走行板及び前記自走体を追従する模型が上面を走行する給電板を備えた競走ゲーム装置であって、前記走行板が設けられた下部構造体と、前記下部構造体に対して昇降自在に組み合わされ、前記給電板が設けられた上部構造体
と、前記上部構造体を昇降させる昇降駆動装置と、を備えたことで、上部構造体を昇降駆動装置にて上昇させることにより、給電板と走行板との間のスペースを拡大させ、それにより給電板及び走行板へのアクセス性を改善させ、清掃作業などを効率よく行うことを可能にすることが提案されている（例えば、特許文献２）。
【０００５】
一方、浴室天井等の高所清掃するために、スポンジを台の一端に設けた固定歯及び台の一端に設けた可動歯により台に固定した高所掃除用スポンジ具が提案されている（特許文献３参照。）。
さらに被清掃面への略一定の押圧力を容易に保持しつつシート取り付け対の清掃面を被清掃面へ接触させながら清掃を行なって、バラツキを生じることなく効率よく埃、ごみ汚れ等を除去することが可能な清掃用具として、用具本体とシート取付体とからなり、清掃用シートを取付けた前記シート取付体を遊嵌装着部を介して前記用具本体に上下動可能に装着することにより、シート取付体の自重によって清掃用シートを被清掃面に接触させた状態に保持しつつ清掃を行なう清掃用具にであって、前記用具本体は、シート取付体を遊嵌状態で支持する遊嵌支持部と、遊挟支持部の下方の被清掃面にとの間にシート取付体を上下動させるための間隔を保持しつつ、被清掃面に沿って用具本体をスライドさせる回転ローラとを備えた掃除用具が提案されている（特許文献４参照。）。
【特許文献１】特開２００６−１８７４８１号公報  （第５−６頁、図３）
【特許文献２】特許３８８５０８２号
【特許文献３】実用新案登録第３０１３３７６号  （第５−６頁、図１）
【特許文献４】特開２００４−１４１３６９号公報
【発明の開示】
【発明が解決しようとする課題】
【０００６】
特許文献１では、自走車が通常走行時に自走車に取り付けたブラシで給電板に付着した塵芥等を取り除くものであり、比較的簡単に取り除けるものしか取り除けないのであった。
【０００７】
特許文献２では、清掃作業を行う場合において、上部構造体を昇降駆動装置にて上昇させるため、遊戯者が近くにいる場合などには上昇させることができないとともに、清掃作業などを行えず、また、清掃作業を行う場合において、上部構造体を昇降駆動装置にて上昇させた後に直接、設置者がその拡大されたスペースを清掃する必要があり、設置者の腕の長さなどにより、清掃作業時に届かない箇所などがあり、清掃にムラが生じていた。
【０００８】
特許文献３の高所掃除用スポンジでは、奥行きがある場所では、腕を伸ばして清掃するには不向きである。
また特許文献４では、床面のみしか清掃できず、奥行きのある場所を清掃するには掃除用具のみの重さでしか床面に接触させることしかできず、強力な汚れや天井面を清掃することはできないのである。
そこで、本願発明では、業務用競争ゲーム機等における自走体が走行する比較的低い天井と床面で構成され他走行空間を容易に清掃することができる清掃装置を提供することにある。
【課題を解決するための手段】
【０００９】
上記課題を解決するために、本発明では、清掃具を載置する受け体と、前記清掃具を前記受け体に固定する保持金具と、前記受け体の背面に取り付けた取付体と、該取付体の下部の両側に設けた車輪と、該取付体の車輪の回動方向に沿って柄を接合する接合部と、該接合部に対し着脱可能な連結部と、前記連結部により上下に可動可能な柄と、を有する清掃用装置としてある。
【００１０】
上記本発明によれば、所定の高さを有する清掃を要する空間に本清掃用装置を入れて、柄を手に持って前後に動かすことで、柄の動きに合わせて取付体の下部の車輪が回動し、取付体に設けた受け体に保持金具で固定された清掃具が天井面に当接して清掃をすることができる。
【００１１】
上記課題を解決するために、上記発明の受け体は有底に形成し、該受け体の有底には清掃具を配置し、該清掃具を受け体中央に付勢し保持する保持具とから、構成される清掃用装置としてある。
上記発明によれば、受け体は有底であり、この有底に清掃具を配置しているので、清掃具から漏れ出た水滴等を受け体の有底に貯留することができ、清掃用装置の外部に漏らすことがないのである。
【００１２】
上記課題を解決するために、本発明では、上面に清掃具を配する受け体と、前清掃具を受け体に保持する保持具と、を有する上部清掃具取付体と、
下面に清掃具を配する受け体と、前記清掃具を受け体に保持する保持具と、下側に設けた車輪と、を有する下部清掃具取付体と、
前記上部清掃具取り付け体と、前記下部清掃具取付体とを連接する取付体と、  下部清掃具取付体の車輪の回動方向に沿って柄を接合する前記取付体に設けた接合部と、該接合部に対し着脱可能な連結部と、前記連結部により上下可動可能な柄と、を有する清掃用装置としてある。
【００１３】
上記発明によれば、所定の高さをゆする清掃を要する空間に本清掃用装置を入れて、柄を手に持って前後に動かすことで、柄の動きに合わせて下部清掃具取付体の下側に設けた車輪が回動し、上部清掃具取付体に保持具で取り付けた清掃具が天井面に当接するとともに、下部清掃具取付体に保持具で取り付けた清掃具が床面に当接して、天井面及び床面の両方を清掃することができる。
【００１４】
上記課題を解決するために、上記発明の下部清掃具取付体に設けた車輪は、清掃具の下面より上側に車輪下縁が位置する高さに設けた清掃用装置としてある。
上記発明によれば、下部清掃用具の車輪の下縁の位置は清掃具の下面より上側にあるので、清掃具が床面に付勢して当接することができ、適度の力で床面を清掃することができるのである。
【００１５】
上記課題を解決するために、本発明では、上面に水平に清掃用ローラを回動自在に配するとともに、該ローラの両端に清掃具を配する上部受け体と、下面に水平に清掃用ローラを回動自在に配するとともに、該ローラの両端に清掃具を配する下部受け体と、前記上部受け体と上記下部受け体を連接する取付体と、前記ローラの回動方向に沿って柄を接合する前記取付体に設けた接合部と、該接合部に対し着脱可能な連結部と、前記連結部により上下可動可能な柄と、を有する清掃用装置としてある。
【００１６】
上記発明によれば、所定の高さをゆする清掃を要する空間に本清掃用装置を入れて、柄を手に持って前後に動かすことで、柄の動きに合わせて上部受け体及び下部受け体のそれぞれに回動自在に設けた清掃用ローラが非清掃面に当接して回動するとともに、清掃用ローラの前後に配置した清掃具が被清掃面に当接するので
丁寧に清掃をすることができる。
【００１７】
上記課題を解決するために、本発明では、上面に向けて円盤状の清掃具を回転可能に軸支して取り付けた上部受け体と、下面に向けて円盤状の清掃具を回転可能に軸支して取り付けると共に下面側に車輪を設けた下部受け体と、前記上部受け体と前記下部受け体をそれぞれ平行に連接すると共にそれぞれを互いに離反する方向に付勢する取付体と、前記円盤体を回転駆動するモータと、前記車輪の回動方向に沿って柄を接合する前記取付体に設けた接合部と、該接合部に対し着脱可能な連結部と、前記連結部により上下可動可能な柄と、を有する清掃用装置としてある。
【００１８】
上記発明によれば、所定の高さをゆする清掃を要する空間に本清掃用装置を入れて、柄を手に持って前後に動かすことで、柄の動きに合わせて上部受け体及び下部受け体が互いに離反する方向に付勢されているのでそれぞれに設けた円盤状の清掃具が非清掃面に押圧されながらモータ駆動されて回転して、天井面及び床面を清掃することができる。
【発明の効果】
【００１９】
本発明の清掃装置を用いることで、業務用競争ゲーム機等における自走体が走行する比較的低い天井と床面で構成され他走行空間を容易に清掃することができ、しかも部分的に清掃する必要がある場合や、奥行きがある場所でも容易に清掃かできるのである。
【発明を実施するための最良の形態】
【００２０】
以下、本発明の実施の形態について詳細に説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【実施例１】
【００２１】
図１は、本発明による清掃装置の一実施例を示し、図１（A）は平面図、図１（B）は側面図を示す。図２は、柄の部分を取り外した清掃装置本体の斜視図で、図３は柄の部分を取り外した清掃装置本体の三面図である。
【００２２】
清掃装置１００は、長さが伸縮可能に調整が可能な柄１が清掃本体２０に着脱可能になっている。
柄１は、入れ子式のパイプ状であり、外側の柄１ａと、該外側の柄１ａの中に入れ子状に収納される細径の柄１ｂ３とから構成されている。外側の柄１ａの外端には清掃者が手で握るグリップ２が取り付けてある。
グリップ２の反対側の外側の柄１ａは先端が長さ方向に枝分かしており、螺子部３が螺挿しており、外側の柄の先端が螺子部３により細径の柄１ｂを締め付けており、螺子部３により柄１の長さを締め付け固定する。螺子部３を緩めることで、細径の柄１ｂが外側の柄１ａから伸縮自在に出入り可能となる。
清掃者が適宜、細径の柄１ｂを出し入れして柄１の全体の長さを変えて螺子部３を締めることで外側の柄の柄１ａと内側の柄１ｂの長さを固定することができる。この柄の伸縮により１ｍから２ｍ程度の範囲で長さが自在になる。
【００２３】
図４には柄の連結機構を示す三面図を示す。細径の柄１ｂの先端には連結機構４が設けてある。細径の柄１ｂの先端には連結機構４が固定される。柄の先端を中央に固着した長方形体の両端が丸みを帯びた取付体５を取り付け、該取付体５の両側には柄に平行する螺子穴５ａを設けてある。
柄１ｂの先端側には取付体５の長方形状より横長な長方形板６を位置させ、前記取付体５の両側の螺子穴５ａに対応して長方形板６の両側中央に前記螺子穴５ａよりやや大きい丸穴６ａを開口してある。
【００２４】
長方形板６の手前には該長方形板６の短辺の幅よりは径が小さい円盤体７が長方形板７の両側に位置する。該円盤体７の中央から螺子８を柄１ｂに向かって螺挿し、長方形板６の丸穴６ａを挿通し、さらに押しバネ９を貫挿して取付体５の螺子穴に螺子止めする。この際に長方形板６と取付体５との間で、螺子８に貫挿された押しバネ９により、長方形板７は外方に付勢され、円盤体７に長方形板６を付勢している。両側の円盤体６の取付体５からの距離は同一にしてあり、長方形体６は柄に略直角に位置している。
これにより連結機構４の長方形板は円盤体６に押しバネで付勢されているので、円盤体６に覆われていない長方形板６を押しバネ９に抗して柄側に押し戻すことができる。
【００２５】
清掃本体１０は、清掃用スポンジである清掃具Ｓを清掃具受け体２０に載置し保持金具３０で保持するとともに清掃具受け体２０の裏面中央には、取付体１１を設けてある。清掃具Sは専用品であることが望ましいが、市販品でも代用できうる。
取付体１１は鉄板を折り曲げ加工してあり、下端両側には床面に接するローラ１２、１３を回動自在に保持すると共に、取付体１１の側面には柄の連結機構４を嵌装する嵌挿構造板１４を螺止めして取り付けてある。
【００２６】
嵌挿構造板１４は、硬質樹脂製の板厚の略正方形板であり、側面図に示すとおり、中央上下位置からやや右側にずれた位置に柄の連結機構４の円盤体７の位置に対応して、該円盤体７の径よりやや大きい径を有する丸穴が上下に２つ開口している。丸穴１５には、丸穴１５の中央から柄の連結機構の螺子８の径よりやや大きい径の円が嵌挿構造板の中央上下位置まで左に平行移動してできる形状の切欠部１５ａがそれぞれの丸孔１５に開口している。
さらに嵌挿構造板の裏側には、中央位置の切欠部１５ａに螺子８を平行移動させた際に、円盤体7を収納するための丸穴１５と同一径で深さが板厚の半分ほどの有底の丸孔１６がそれぞれ設けてある。
【００２７】
清掃具受け体２０は、縦19ｃｍ、横１４ｃｍの硬質樹脂製の受け板２１に縦15ｃｍ、横10ｃｍ、高さ３ｃｍのスポンジ製の清掃具Ｓを受け板２１の中央に搭載する。受け板２１には清掃具Ｓを囲む様に四角に２２が設けてある。四隅には短辺の縁に沿って長穴２３が4つ開口している。
【００２８】
この清掃具Ｓは、受け板２１に載置され、受け板の長辺に沿って両側に設けた歯付きの保持金具３０で固定される。
保持金具３０は、清掃具Ｓの長辺面に向けて波状の歯を有す波歯部３１と、清掃具Ｓの両短辺を囲むように顎部３２を有するコの字状の平面３３を有し、縦断面はＺ字状に折り曲げられて斜面部３４と構成している。Ｚの上側に波歯部３１を有し、斜面部３４の下側両端には足部３５が受け板２１の同一長辺側の２つの長穴２３に対応して螺子穴３６が開口している。受け板２１の長穴２３の裏側から蝶螺子３６が貫挿され、螺子穴３６に螺着され保持金具３０を受け板２１に固定する。Ｚの高さは清掃具Ｓの長辺部の半分程度の高さとする。
【００２９】
保持金具の波歯部３１の平面には、コの字の外側を覆う硬質樹脂製のコの字状のガイド体３８が螺着さている。ガイド体３５は上面縁は面取りがされており、清掃時に被清掃面に衝突しても被清掃面を傷つけることが無いようにしてある。
この構成により、受け板２５には清掃用スポンジＳを載置して、両側から保持金具３０の蝶螺子３７を緩めて波歯部３１で清掃具Ｓの長辺部に食い込ませて清掃具Ｓが受け板２１の中央に載置される位置に固定する。清掃具の寸方に応じて、保持金具３０は蝶螺子３７を緩めて受け板の長穴２３でスライドさせて清掃具Ｓを受け板２１の中央に配して固定する位置を決めるのである。
【００３０】
図５は、清掃本体の嵌挿構造に柄の連結構造を取り付けを説明する斜視図である。図５（Ａ）は嵌挿構造板の裏側からみた斜視図であり、図５（ｂ）は嵌挿構造板の表側も点線で示した斜視図である。柄の連結機構の２つの円盤体７を、清掃本体の嵌挿構造板の２つの丸穴１５に合わせて押し込むことで、連結機構の長方形板６が押しバネ９の付勢力に打ち勝ち、円盤体７から離れ柄側に押しやられる。これにより円盤体７のみが嵌挿構造板お１４の丸穴１５に押し込められ、円盤体７が丸穴１５を貫通しきった状態で丸穴１５の切欠部１５ａに合わせて連結機構４を嵌挿構造板１４の中央方向にスライドさせると、円盤体７は、丸穴１５から突出しており、円盤体７の螺子８のみが切欠部１５ａの幅をスライドして嵌挿構造板の中央に位置する。そして柄の連結構造４を嵌挿構造板１４に押し当てることを止めることで、連結機構の押しバネ９が長方形板６を押し戻し、結果的には円盤体７を引き戻す方向に作用し、円盤体７は嵌挿構造体の中央位置に有底に設けた丸孔１６に嵌るのである。これにより柄１が清掃本端１０に取り付けられるのである。
【００３１】
図６に本清掃用装置を用いて自走体走行装置の走行駆動装置が走行する空間を清掃する様子を説明する。
業務用競争ゲーム装置等における自走体が走行する高さ１３ｃｍほどの高さを有する天井Ａと床面Ｇで構成されており、この空間に本清掃本体を挿入して柄を前後に動かすことで、天井面の給電板Ｂの導電板を清掃するのである。この際に手動であるので、多少柄が前後に揺れても連結機構の長方形板を付勢している押しバネが上下にあることから、柄１のグリップが上下に動いても連結機構の長方形板が押しバネの付勢に打ち勝ち多少柄が清掃装置に対し傾斜しても吸収できるので、清掃装置本体は清掃具Ｓが天井面の給電板Ｂに圧接して清掃することができる。この際に清掃具に接点復活剤等の清掃剤に浸して拭くことができる。
【００３２】
また、給電板に水滴が付いていた場合でも清掃具Ｓに吸収されるとともに、清掃具Ｓを載置した受け板３１の溝に水滴が貯まることで水滴が受け板２１の外部に漏れることを極力防ぐことができる。
このように手の届かないところでも本清掃装置を用いて清掃することができ、カーボン等の汚れがひどいところでも何回も拭くことができうる。
【００３３】
図７には清掃具受け体の他の実施例を示す。図５（Ａ）は平面図であり、図５（Ｂ）は中板を省略した平面図であり、図５（Ｃ）は底面図であり、図５（Ｂ）は正面図を示している。
清掃具受け体４０は、浅底の受け板４１と、受け板４１の底面から図示しない清掃スポンジの半分ほどの高さに左右両側に配した２ケの対向した向きにスライド可能な保持金具５０を配している。保持金具５０は対向する側に波状の波歯部５１を有しており、保持金具５０の上下端は、受け板４１の外側で、受け体の裏面側に折曲した上端５２及び下端５３を有している。受け板４１の裏側では、保持金具の上端と下端を連結する連結板５４がそれぞれ取り付けてある。さらに受け板４１の下側に受け板の短面に沿って上下に平行して設けたロッド４２が前記連結板５４を貫通しており、連結板５４は上下のロッドにより摺動して左右にスライドすることができる。
【００３４】
さらに各連結板５４には上下位置に長穴５５が２つずつ設けてあり、右側の連結板と左側の連結板の長穴５５はたすき状に連結板５６が遊架されている。
そして受け板４１の下側で保持金具の上端５２同士、下端５３同士に引っ張りバネ５６が架渡されており、互いに受け板４１の中央方向に付勢されている。
上記の機構により、保持金具５０は常時、波歯部５１を受け板４１の中央方向に向けて受け体４１の長辺に平行に移動可能にセンタリングされるように引っ張りバネ５６で付勢されるのである。
【００３５】
上記構成により、受け板４１の上に位置する保持金具５０を左右に手で開いて清掃スポンジである清掃具を受け板４１の底面に配置することで、保持金具５０から手を離すことで、引っ張りバネの５６の復元力で保持金具は清掃具を挟持する方向に波歯部が付勢され、さらに受け板４２の下部に設けたロッド４２及び連結板５４に掛け渡された機構により、平行にスライドするのである。
【００３６】
受け板４１の裏面に上記のスライド機構を収めて覆う底板４３を受け板中央に配置して、受け板４１の底板中央には縦長のブラケッ４４を配置し、ブラケットの上下位置には下方に垂下しるロッド４５を取りつけ、下側に位置する取付体１１のガイド板１７を貫通してガイド板の下で上方に抜けないように摺動自在に止めてある。ブラケット４４とガイド板１７との間には押しバネ４６を挿入しており、押しバネ４６により受け板４１は上方に付勢されている。
取付体１１は鉄板を折り曲げ加工してあり、下端両側には床面に接するローラ１２、１３を回動自在に保持すると共に、取付体１１の側面には柄の連結機構４を嵌装する嵌挿構造板１４を螺止めして取り付けてある。
【実施例２】
【００３７】
図８は本発明の実施例２の正面図を示し、図８は同斜視図を示す。実施例１と比して、柄１の構造、連結機構４、嵌挿構造体１４、清掃用受け体２０の構造については同一であり、説明を省く。
受け体２０の裏面から取付体のガイド板１７を貫通する２本のロッド１８を垂下させており、取付体１１の上に設けた硬質樹脂製のガイド板１７間を貫通してガイド板の下で上方に抜けないように摺動自在に止めてある。また、受けたい０の裏面とガイド板１７の間にはバネ１９が位置しており、受け板２０を上方へ付勢する。
【００３８】
実施例２の清掃用装置では、天井面側の清掃具はもとより床面にも清掃具を配してあり、床面側の受け体４０には車輪４１が設けてあるので、清掃具Ｓが床面に潰れることなく圧接することが可能である。
【００３９】
ここで、上面の受け体２０と取付体１１のガイド板１７との間の距離をロッド１８の長さを変えることで、清掃空間の高さが異なる場合でも受け体２０の高さを変えることで清掃具Ｓを天井面に圧接して清掃することが可能である。
高さ調整容易にするために、ロッド１８を螺子とし、ガイド板１７側を螺子穴にしておくことで高さ調整が容易になる。
また受け体２０と取付体１１との間には押しバネ１９が設けてあるので、清掃時に柄が前後に動いても柔軟に受け体２０を天井の給電面に当接させることができ、優れた清掃装置となっている。
【実施例３】
【００４０】
図９は本発明の実施例３の正面を示す。清掃装置本体６０はＨの字を横にした型をしており、受け板６１の中央にはスポンジ製のローラ６２が回動自在に受け板５１に取り付けられており、ローラ６２の両側にはスポンジ等の清掃具６３が面ファスナ等で受け板６１の表面に固定されている。無論、実施例１での歯付き保持金具等で固定されてもよい。
この受け板の両端の四隅には車輪６４が設けてあってもよく、その場合はローラ６２及び清掃具６３の高さより車輪の上縁が低くしてある。この受け体６１は取付体１１を介して下面にも取り付けられており、柄の連結機構４を清掃装置本体６０の嵌挿構造体１４に嵌挿して、柄を前後に動かして清掃する。
【００４１】
実施例３の清掃用装置では、天井面側の清掃具はもとより床面にも清掃具を配してあり、柄を前後に動かすことで、ローラ６２が回転し、予めローラ６２に浸した清掃用の薬品が被清掃面に付き、汚れをより落としやすくして、ローラ６２の前後に設けた清掃具６３で汚れを取り除くことができる。
また上下に同様の受け体６１を配置してあるので、天井面と一緒に床面の清掃をもすることができるのである。
さらに受け体６１の四隅に車６４輪を配置することで、特に床面側の清掃具が自重で潰れることなく、被清掃面との適正距離を保ちつつ清掃をすることができる。
【実施例４】
【００４２】
図１０は本発明の実施例４の正面を示す。本実施例では、清掃装置本体７０の上側に位置する上部受け体７１には前後にスポンジ状の円盤体７２が回転可能に設けてある。この円盤体７２は前後に２ケ設けた場合はお互いにチェーンや歯車機構の伝達機構７３により回転する機構となっている。さらに床面側の下部受け体７４には上側の受け体７１と同様に前後にスポンジ状の円盤体７５が回転可能に設けてある。そして下部受け体７４の中央の上側にモータ７６が配置されており、モータ７６の回転が各回転体７５に伝わり回転させる伝達機構７７を有している。モータ７６は図示しない電源から電力を得て回転し、さらに上側の円盤体７２と回転軸を同一にして共有しており、上側の回転体７２も回転させる。
【００４３】
これにより天井等の上面に向けて円盤状の清掃具である円盤板７２を回転可能に軸支して取り付けた上部受け体７１と、下面に向けて円盤状の清掃具である円盤体７５を回転可能に軸支して取り付けると共に下面側に車輪７９を設けた下部受け体７４とは、互いに円盤体を上下方向に向けて取付体８０に取り付けられている。      
取付体８０には、前記上部受け体７１と前記下部受け体７４をそれぞれ平行に連接すると共にそれぞれを互いに離反する方向に付勢する押しバネ等の付勢手段を有すると共に、互いの円盤体７２、７５の回転軸を伸縮可能に入れ子式にしてある。
【００４４】
モータ７６が回転すると、伝達機構を介して円盤体７５を回転駆動するとともに、円盤体の回転軸が取付体８０を介して上部受け体７１側の円盤体７２の回転軸が入れ子式になっており、同時に回転し円盤体７２を回転させる。さらに入れ子式の部分に押しバネ等の付勢力手段があるので、円盤体７２、７５はお互いに離反する方向に付勢されて回転する。
【００４５】
所定の高さをゆする清掃を要する空間に本清掃用装置を入れて、柄を手に持って前後に動かすことで、柄の動きに合わせて上部受け体及び下部受け体が互いに離反する方向に付勢されているのでそれぞれに設けた円盤状の清掃具が天井や床面である非清掃面に押圧されながらモータ駆動されて回転して、天井面及び床面を清掃することができる。
【００４６】
上記のいずれの実施例での説明では、清掃具として清掃用スポンジを例にして説明したが、本発明の清掃具はスポンジに限らず、シャンプ含有スポンジ、織毛を「有する払拭具、ブラシ、あるいは弾性体を科学雑巾等の拭き取り布、で覆ったものを使用することでも実現できる。
【００４７】
ここでは図示の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。上記実施の形態例は本発明の理解のためのものであり、本発明がこれらに限定されるものではない。
【図面の簡単な説明】
【００４８】
【図１】本発明による清掃装置の一実施例の三面図である。
【図２】柄の部分を取り外した清掃装置本体の斜視図である。
【図３】柄の部分を取り外した清掃装置本体の三面図である。
【図４】柄の連結機構を示す三面図である。
【図５】清掃本体の嵌挿構造に柄の連結構造を取り付けを説明する斜視図である。
【図６】本清掃装置を用いて自走体走行装置の走行駆動装置が走行する空間を清掃する説明図である。
【図７】実施例２の正面図である。
【図８】実施例２の斜視図である。
【図９】実施例３の正面図である。
【図１０】実施例４の正面図である。
【符号の説明】
【００４９】
１  柄
２  グリップ
３  螺子部
４  連結機構
５  取付体
６  長方形板
７  円盤体
８  螺子  
９  押しバネ
１０  清掃体
１１  取付体
１２  ローラ
１４  嵌挿構造体
１５  丸穴
１６  丸孔
２０  清掃具受体
２１  受板
２２  溝
２３  長穴
３０  保持金具
３１  波歯部
３２  顎部
３３  平面部
３４  斜面部
３５  足部
３６  螺子穴
３７  蝶螺子
３８  ガイド体
４０  清掃具受け体
５０  保持金具
６０  清掃用本体
７０  清掃用本体
【図１】
2009273661.tif 000003
【図２】
2009273661.tif 000004
【図３】
2009273661.tif 000005
【図４】
2009273661.tif 000006
【図５】
2009273661.tif 000007
【図６】
2009273661.tif 000008
【図７】
2009273661.tif 000009
【図８】
2009273661.tif 000010
【図９】
2009273661.tif 000011
【図１０】
2009273661.tif 000012